(57)【要約】【課題】小型化とコストダウンを図ることができるビデオカメラを提供すること。【解決手段】本発明によるビデオカメラは、表示装置を一側面に備えたビデオカメラで、表示装置とビデオカメラ本体はボールジョイントにより連結されており、ボールジョイントのボールは表示装置側にあり、ハウジングはビデオカメラ本体側にあり、表示装置は開閉動作と回転動作が可能であるビデオカメラであり、ボールジョイントのボール部の一部には溝が形成されており、ビデオカメラ本体には検出スイッチが取り付けてあり、溝と検出スイッチによって表示装置の回転角の位相を検出することを特徴とする。【選択図】図１
2005333174.tif 000002
【特許請求の範囲】
【請求項１】
表示装置を一側面に備えたビデオカメラで、表示装置とビデオカメラ本体はボールジョイントにより連結されており、ボールジョイントのボールは表示装置側にあり、ハウジングはビデオカメラ本体側にあり、表示装置は開閉動作と回転動作が可能であるビデオカメラであり、ボールジョイントのボール部の一部には溝が形成されており、ビデオカメラ本体には検出スイッチが取り付けてあり、溝と検出スイッチによって表示装置の回転角の位相を検出することを特徴とするビデオカメラ。
【請求項２】
表示装置を一側面に備えたビデオカメラで、表示装置とビデオカメラ本体はボールジョイントにより連結されており、ボールジョイントのボールは表示装置側にあり、ハウジングはビデオカメラ本体側にあり、表示装置は開閉動作と回転動作が可能であるビデオカメラであり、ボールジョイントのボール部の一部にはマグネット部が形成されており、ビデオカメラ本体には磁気センサーが取り付けてあり、マグネットと磁気センサーによって表示装置の回転角の位相を検出することを特徴とするビデオカメラ。
【発明の詳細な説明】
【技術分野】
【０００１】
本発明は、表示装置に映し出された撮影画像を見ながらビデオ撮影したり、ビデオ再生像を表示装置に再生して見ることができるビデオカメラに関するもので、特に、表示装置とビデオカメラ本体とを結合するヒンジにボールジョイントを使用したときの表示装置の回転位相の検出方法に関するものである。
【背景技術】
【０００２】
従来、この種の装置においては、例えば特許文献１に開示されているように、表示装置とビデオカメラ本体との接続は２軸のヒンジで構成されていた。つまり、表示装置がカムコーダー本体から離れる方向に回転する第１のヒンジと、該第１のヒンジの回転軸と直交する方向に回転する第２のヒンジで構成されていた。
【０００３】
表示装置がカムコーダー本体から離れる方向のヒンジを９０度回転させた後、第２のヒンジを回転させることにより、表示装置の表示面は前面、後面、上面及び下面を向けることができる。表示装置の角度検出については、例えば特許文献２に開示されているように、表示装置の支持軸に設けたカム部材の回転によりスイッチ接点を操作することにより、回転位相を検出することができる。
【０００４】
【特許文献１】特開平８−１２５８９０号公報
【特許文献２】特開平９−１６３１８９号公報
【発明の開示】
【発明が解決しようとする課題】
【０００５】
しかしながら、従来例では、表示装置の開閉を行う第１のヒンジと、表示装置の回転を行う第２のヒンジを必要とし、機構が複雑になり、部品点数の多さ、組立工数の多さにより、コストがアップするという問題があった。
【０００６】
本発明は上記問題に鑑みてなされたもで、その目的とする処は、小型化とコストダウンを図ることができるビデオカメラを提供することにある。
【課題を解決するための手段】
【０００７】
上記目的を達成するために、本発明によるビデオカメラは、表示装置を一側面に備えたビデオカメラで、表示装置とビデオカメラ本体はボールジョイントにより連結されており、ボールジョイントのボールは表示装置側にあり、ハウジングはビデオカメラ本体側にあり、表示装置は開閉動作と回転動作が可能であるビデオカメラであり、ボールジョイントのボール部の一部には溝が形成されており、ビデオカメラ本体には検出スイッチが取り付けてあり、溝と検出スイッチによって表示装置の回転角の位相を検出することを特徴とする。
【０００８】
又、表示装置を一側面に備えたビデオカメラで、表示装置とビデオカメラ本体はボールジョイントにより連結されており、ボールジョイントのボールは表示装置側にあり、ハウジングはビデオカメラ本体側にあり、表示装置は開閉動作と回転動作が可能であるビデオカメラであり、ボールジョイントのボール部の一部にはマグネット部が形成されており、ビデオカメラ本体には磁気センサーが取り付けてあり、マグネットと磁気センサーによって表示装置の回転角の位相を検出することを特徴とする。
【発明の効果】
【０００９】
本発明によれば、ヒンジ機能を有しながら、部品点数が削減でき、且つ、形態もコンパクト化が図られるため、ビデオカメラ全体の小型化が可能になる。
【発明を実施するための最良の形態】
【００１０】
以下に本発明の実施の形態を添付図面に基づいて説明する。
【００１１】
図１は本発明のビデオカメラの正面図、図２は同側面図である。表示装置２はビデオカメラ本体１とボールジョイント３で連結されていて、ボール部４は表示装置側にあり、ハウジング５はビデオカメラ本体１側にある。図１では表示装置２は、ビデオカメラ本体１の側面の凹部６に収納されている。この状態を状態Ａとする。
【００１２】
図３及び図４は表示装置２を状態Ａの位置から９０°開動したときの正面図と側面図である。ハウジング５に施したスリット７に沿って表示装置２は開閉動作をする。この状態を状態Ｂとする。
【００１３】
図５及び図６は表示装置２を状態Ｂの位置から９０°回転したときの正面図と側面図である。表示装置の裏カバー８は正面を向き、表示面９は後方を向いている。この状態を状態Ｃとする。
【００１４】
図７及び図８は表示装置２を状態Ｃから更に９０°回転したときの正面図と側面図である。この状態を状態Ｄとする。
【００１５】
図９及び図１０は表示装置２を状態Ｄから更に９０°回転したときの正面図と側面図である。この状態を状態Ｅとする。表示面９は正面を向き、体面撮影のため表示される画像は状態Ｃの画像とは上下、左右を逆に表示する。
【００１６】
図１１は状態Ｃのときの表示装置２を表している。この状態ではボール部４に施されている溝１０の位置は、本体側に設置されているスイッチ１１の位相にはない。
【００１７】
図１２は状態Ｄのときの表示装置２を表している。この状態ではボール部４に施されている溝１０にスイッチ１１が入り、その信号を本体のマイコンに伝え、画像を反転させる。
【００１８】
図１３は状態Ｅのときの表示装置２を表している。この状態ではボール部４に施されている溝１０にスイッチ１１が入ったままであるため、画像は反転したままで、対面撮影が可能となる。
【００１９】
図１４から図１６は実施例２を表している。
【００２０】
図１４は状態Ｃのときの表示装置２を表している。この状態ではボール部４に施されてマグネット１２の位置は、本体側に設置されている磁気センサー１３の位相にはない。
【００２１】
図１５は状態Ｄのときの表示装置２を表している。この状態ではボール部４に施されてマグネット１２の位置は、本体側に設置されている磁気センサー１３の位相に回ってくるため、磁気センサーが磁力を検知し、それを本体のマイコンに伝え、画像を反転させる。
【００２２】
図１６は状態Ｅのときの表示装置２を表している。この状態ではボール部４に施されてマグネット１２の位置は、本体側に設置されている磁気センサー１３の位相のままであるため、画像は反転したままで、対面撮影が可能となる。
【００２３】
又、図１７〜図２１に示すように、位置検出用の溝１０やマグネット１２の他に、ボール部４には回転を規制する規制溝１４，１６が施されている。ハウジング５側には、規制溝１４，１６に入る規制ピン１５が形成されており、ボール部４の動きを規制している。表示装置の開閉動作は規制溝１４と規制ピン１５で行っている。
【００２４】
図１７は状態Ａでの規制溝１４と規制ピン１５の関係を表している。
【００２５】
図１８は状態Ｂでの規制溝１４と規制ピン１５の関係を表している。状態Ａから状態Ｂへの回転は規制溝１４と規制ピン１５で規制される。
【００２６】
図１９は状態Ｃでの規制溝１６と規制ピン１５の関係を表している。
【００２７】
図２０は状態Ｄでの規制溝１６と規制ピン１５の関係を表している。
【００２８】
図２１は状態Ｅでの規制溝１６と規制ピン１５の関係を表している。状態Ｂから状態Ｅまでは規制溝１６と規制ピン１５で規制され、状態Ｅでは、規制溝１６の端に規制ピン１５が突き当たっている。表示装置の回転動作は、規制溝１６と規制ピン１５によって行う。
【産業上の利用可能性】
【００２９】
本発明は、表示装置に映し出された撮影画像を見ながらビデオ撮影したり、ビデオ再生像を表示装置に再生して見ることができるビデオカメラに対する利用可能性が高い。
【図面の簡単な説明】
【００３０】
【図１】実施例の状態Ａの正面図である。
【図２】実施例の状態Ａの側面図である。
【図３】実施例の状態Ｂの正面図である。
【図４】実施例の状態Ｂの側面図である。
【図５】実施例の状態Ｃの正面図である。
【図６】実施例の状態Ｃの側面図である。
【図７】実施例の状態Ｄの正面図である。
【図８】実施例の状態Ｄの側面図である。
【図９】実施例の状態Ｅの正面図である。
【図１０】実施例の状態Ｅの側面図である。
【図１１】実施例１の状態Ｃを示す図である。
【図１２】実施例１の状態Ｄを示す図である。
【図１３】実施例１の状態Ｅを示す図である。
【図１４】実施例２の状態Ｃを示す図である。
【図１５】実施例２の状態Ｄを示す図である。
【図１６】実施例２の状態Ｅを示す図である。
【図１７】実施例１の状態Ａの規制溝と規制ピンを示す図である。
【図１８】実施例１の状態Ｂの規制溝と規制ピンを示す図である。
【図１９】実施例１の状態Ｃの規制溝と規制ピンを示す図である。
【図２０】実施例１の状態Ｄの規制溝と規制ピンを示す図である。
【図２１】実施例１の状態Ｅの規制溝と規制ピンを示す図である。
【符号の説明】
【００３１】
１    ビデオカメラ本体
２    表示装置
３    ボールジョイント
４    ボール部
５    ハウジング
６    凹部
７    スリット
８    裏カバー
９    表示面
１０  溝
１１  スイッチ
１２  マグネット
１３  磁気センサー
１４  規制溝
１５  規制ピン
１６  規制溝
【図１】
2005333174.tif 000003
【図２】
2005333174.tif 000004
【図３】
2005333174.tif 000005
【図４】
2005333174.tif 000006
【図５】
2005333174.tif 000007
【図６】
2005333174.tif 000008
【図７】
2005333174.tif 000009
【図８】
2005333174.tif 000010
【図９】
2005333174.tif 000011
【図１０】
2005333174.tif 000012
【図１１】
2005333174.tif 000013
【図１２】
2005333174.tif 000014
【図１３】
2005333174.tif 000015
【図１４】
2005333174.tif 000016
【図１５】
2005333174.tif 000017
【図１６】
2005333174.tif 000018
【図１７】
2005333174.tif 000019
【図１８】
2005333174.tif 000020
【図１９】
2005333174.tif 000021
【図２０】
2005333174.tif 000022
【図２１】
2005333174.tif 000023